(57)【要約】【課題】「Ｐｅｒｓｉｓｔｅｎｔスケジューリング」におけるリソース割り当てに用いられるＰＤＣＣＨのＦａｌｓｅ  Ａｌａｒｍの確率を低減する。【解決手段】  本発明に係る移動通信方法は、移動局ＵＥに対して、所定周期及び上り無線リソースに関する情報を通知する工程Ａと、移動局ＵＥに対して、所定スケジューリング情報を通知する工程Ｂと、受信した所定スケジューリング情報に基づいて決定された時点を起点として、所定周期で、所定スケジューリング情報によって割り当てられた上り無線リソースを用いて、上りデータを送信する工程Ｃとを有し、工程Ｃにおいて、上り無線リソースに関する情報と所定スケジューリング情報により通知された情報とが矛盾している場合に、所定スケジューリング情報を破棄する。【選択図】図５
2010206831.tif 000002
【特許請求の範囲】
【請求項１】
移動局が、所定周期で、所定スケジューリング情報によって割り当てられた上り無線リ
ソースを用いて、無線基地局に対して上りデータを送信する移動通信方法であって、
前記移動局に対して、前記所定周期及び前記上り無線リソースに関する情報を通知する
工程Ａと、
前記移動局に対して、所定スケジューリング情報を通知する工程Ｂと、
受信した前記所定スケジューリング情報に基づいて決定された時点を起点として、前記
所定周期で、該所定スケジューリング情報によって割り当てられた上り無線リソースを用
いて、上りデータを送信する工程Ｃとを有し、
前記工程Ｃにおいて、前記上り無線リソースに関する情報と前記所定スケジューリング
情報により通知された情報とが矛盾している場合に、該所定スケジューリング情報を破棄
することを特徴とする移動通信方法。
【請求項２】
前記工程Ａにおいて、ＲＲＣメッセージにより、前記所定周期及び前記上り無線リソー
スに関する情報を通知し、
前記工程Ｂにおいて、前記移動局に対して、下りリンク制御チャネルを介して、前記所
定スケジューリング情報を送信することを特徴とする請求項１に記載の移動通信方法。
【請求項３】
前記工程Ａにおいて、前記上り無線リソースに関する情報によって、前記所定スケジュ
ーリング情報により指定可能な情報の範囲を限定し、
前記工程Ｃにおいて、前記所定スケジューリング情報に含まれる情報が、前記上り無線
リソースに関する情報によって限定された前記範囲に含まれない場合、前記上り無線リソ
ースに関する情報と前記所定スケジューリング情報により通知された情報とが矛盾してい
ると判断することを特徴とする請求項１に記載の移動通信方法。
【請求項４】
前記所定スケジューリング情報は、リソースブロックの割当情報、変調方式、データサ
イズ、ＭＣＳ情報、送信フォーマット情報、送信電力制御情報、Ｄｅｍｏｄｕｌａｔｉｏ
ｎ ＲＳのＣｙｃｌｉｃ Ｓｈｉｆｔに関する情報、ＣＱＩ  ｒｅｑｕｅｓｔの少なくとも
１つを含むことを特徴とする請求項１に記載の移動通信方法。
【請求項５】
移動局が、所定周期で、所定スケジューリング情報によって割り当てられた上り無線リ
ソースを用いて、無線基地局に対して上りデータを送信する移動通信方法であって、
前記移動局に対して、前記所定周期及び前記上り無線リソースに関する情報を通知する
工程Ａと、
前記移動局に対して、所定スケジューリング情報を通知する工程Ｂと、
受信した前記所定スケジューリング情報に基づいて決定された時点を起点として、前記
所定周期で、該所定スケジューリング情報によって割り当てられた上り無線リソースを用
いて、上りデータを送信する工程Ｃとを有し、
前記所定スケジューリング情報に含まれる情報が、予め指定されている内容と合致する
場合に、前記工程Ｃを実行することを特徴とする移動通信方法。
【請求項６】
前記所定スケジューリング情報は、リソースブロックの割当情報、変調方式、データサ
イズ、ＭＣＳ情報、送信フォーマット情報、送信電力制御情報、Ｄｅｍｏｄｕｌａｔｉｏ
ｎ ＲＳのＣｙｃｌｉｃ Ｓｈｉｆｔに関する情報、ＣＱＩ  ｒｅｑｕｅｓｔの少なくとも
１つを含むことを特徴とする請求項５に記載の移動通信方法。
【請求項７】
所定周期で、所定スケジューリング情報によって割り当てられた上り無線リソースを用
いて、無線基地局に対して上りデータを送信するように構成されている移動局であって、
前記無線基地局から、前記所定周期及び前記上り無線リソースに関する情報を受信する
ように構成されている受信部と、
前記無線基地局から受信した前記所定スケジューリング情報に基づいて決定された時点
を起点として、前記所定周期で、該所定スケジューリング情報によって割り当てられた上
り無線リソースを用いて、上りデータを送信するように構成されている通信部とを具備し
、
前記通信部は、前記上り無線リソースに関する情報と前記所定スケジューリング情報に
より通知された情報とが矛盾している場合に、該所定スケジューリング情報を破棄するよ
うに構成されていることを特徴とする移動局。
【請求項８】
前記受信部は、ＲＲＣメッセージを介して、前記所定周期及び前記上り無線リソースに
関する情報を受信するように構成されており、
前記通信部は、下りリンク制御チャネルを介して、前記所定スケジューリング情報を受
信するように構成されていることを特徴とする請求項７に記載の移動局。
【請求項９】
前記通信部は、前記所定スケジューリング情報に含まれる情報が、前記上り無線リソー
スに関する情報によって限定された前記所定スケジューリング情報により指定可能な情報
の範囲に含まれない場合、前記上り無線リソースに関する情報と前記所定スケジューリン
グ情報により通知された情報とが矛盾していると判断するように構成されていることを特
徴とする請求項７に記載の移動局。
【請求項１０】
前記所定スケジューリング情報は、リソースブロックの割当情報、変調方式、データサ
イズ、ＭＣＳ情報、送信フォーマット情報、送信電力制御情報、Ｄｅｍｏｄｕｌａｔｉｏ
ｎ ＲＳのＣｙｃｌｉｃ Ｓｈｉｆｔに関する情報、ＣＱＩ  ｒｅｑｕｅｓｔの少なくとも
１つを含むことを特徴とする請求項７に記載の移動局。
【請求項１１】
所定周期で、所定スケジューリング情報によって割り当てられた上り無線リソースを用
いて、無線基地局に対して上りデータを送信するように構成されている移動局であって、
前記無線基地局から、前記所定周期及び前記上り無線リソースに関する情報を受信する
ように構成されている受信部と、
前記無線基地局から受信した前記所定スケジューリング情報に基づいて決定された時点
を起点として、前記所定周期で、該所定スケジューリング情報によって割り当てられた上
り無線リソースを用いて、上りデータを送信するように構成されている通信部とを具備し
、
前記通信部は、前記所定スケジューリング情報により通知された情報が、予め指定され
ている内容と合致する場合に、前記上りデータを送信するように構成されていることを特
徴とする移動局。
【請求項１２】
前記所定スケジューリング情報は、リソースブロックの割当情報、変調方式、データサ
イズ、ＭＣＳ情報、送信フォーマット情報、送信電力制御情報、Ｄｅｍｏｄｕｌａｔｉｏ
ｎ ＲＳのＣｙｃｌｉｃ Ｓｈｉｆｔに関する情報、ＣＱＩ  ｒｅｑｕｅｓｔの少なくとも
１つを含むことを特徴とする請求項１１に記載の移動局。
【請求項１３】
移動局が、所定周期で、所定スケジューリング情報によって割り当てられた上り無線リ
ソースを用いて、無線基地局に対して上りデータを送信する移動通信システムで用いられ
る無線基地局であって、
前記移動局に対して、前記所定周期及び前記上り無線リソースに関する情報を通知する
ように構成されている第１送信部と、
前記移動局に対して、所定スケジューリング情報を送信するように構成されている第２
送信部と、
前記所定スケジューリング情報により割り当てられた前記上り無線リソースを用いて前
記所定周期で送信された上りデータを受信するように構成されている通信部とを具備し、
前記第１送信部は、前記上り無線リソースに関する情報として、前記所定スケジューリ
ング情報により指定可能な情報の範囲を限定する情報を通知するように構成されているこ
とを特徴とする無線基地局。
【請求項１４】
前記第１送信部は、ＲＲＣメッセージにより、前記所定周期及び前記上り無線リソース
に関する情報を通知するように構成されており、
前記第２送信部は、下りリンク制御チャネルを介して、前記所定スケジューリング情報
を通知するように構成されていることを特徴とする請求項１３に記載の無線基地局。
【請求項１５】
前記第２送信部は、前記所定スケジューリング情報によって、リソースブロックの割当
情報、変調方式、データサイズ、ＭＣＳ情報、送信フォーマット情報の少なくとも１つを
通知するように構成されていることを特徴とする請求項１３に記載の無線基地局。
【請求項１６】
前記第１送信部は、データ種別に基づいて、前記範囲を決定するように構成されている
ことを特徴とする請求項１３に記載の無線基地局。
【発明の詳細な説明】
【技術分野】
【０００１】
本発明は、移動局が、割当開始時点を起点として所定周期で固定的に割り当てられている上り無線リソースを用いて、無線基地局に対して上りデータを送信する移動通信方法、移動局及び無線基地局に関する。
【背景技術】
【０００２】
Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式やＨＳＤＰＡ方式（Ｈｉｇｈ  Ｓｐｅｅｄ  Ｄｏｗｎｌｉｎｋ  Ｐａｃｋｅｔ  Ａｃｃｅｓｓ）の後継となる通信方式、すなわち、ＬＴＥ（Ｌｏｎｇ  Ｔｅｒｍ  Ｅｖｏｌｕｔｉｏｎ）方式が、Ｗ-ＣＤＭＡの標準化団体３ＧＰＰにより検討され、その仕様策定作業が進められている。
【０００３】
ＬＴＥ方式においては、無線アクセス方式として、下りリンクについてはＯＦＤＭＡが用いられ、上りリンクについてはＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が用いられることが検討されている。
【０００４】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００５】
ＳＣ-ＦＤＭＡは、周波数帯域を分割し、複数の端末間で異なる周波数帯域を用いて伝送することで、端末間の干渉を低減することができる伝送方式である。ＳＣ-ＦＤＭＡでは、送信電力の変動が小さくなる特徴を持つことから、端末の低消費電力化及び広いカバレッジを実現できる。
【０００６】
ＬＴＥ方式は、上りリンク及び下りリンク共に、１つ乃至２つ以上の物理チャネルを複数の移動局で共有して通信を行うシステムである。
【０００７】
複数の移動局で共有されるチャネルは、一般に共有チャネルと呼ばれ、ＬＴＥ方式においては、上りリンクにおいては「物理上りリンク共有チャネル（Ｐｈｙｓｉｃａｌ  Ｕｐｌｉｎｋ  Ｓｈａｒｅｄ  Ｃｈａｎｎｅｌ：  ＰＵＳＣＨ）」であり、下りリンクにおいては「物理下りリンク共有チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）」である。
【０００８】
また、かかる共有チャネルは、トランスポートチャネルとしては、上りリンクにおいては「上りリンク共有チャネル（ＵＬ-ＳＣＨ：  Ｕｐｌｉｎｋ  Ｓｈａｒｅｄ  Ｃｈａｎｎｅｌ）」であり、下りリンクにおいては「下りリンク共有チャネル（ＤＬ-ＳＣＨ：  Ｄｏｗｎｌｉｎｋ  Ｓｈａｒｅｄ  Ｃｈａｎｎｅｌ）」である。
【０００９】
そして、上述したような共有チャネルを用いた通信システムにおいては、サブフレーム（Ｓｕｂ-ｆｒａｍｅ）（ＬＴＥ方式では、１ｍｓ）毎に、どの移動局ＵＥに対して共有チャネルを割り当てるかを選択し、選択された移動局ＵＥに対して、共有チャネルを割り当てることをシグナリングする必要がある。
【００１０】
このシグナリングのために用いられる制御チャネルは、ＬＴＥ方式では、「物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）」又は「下りリンクＬ１/Ｌ２制御チャネル（ＤＬ  Ｌ１/Ｌ２  Ｃｏｎｔｒｏｌ  Ｃｈａｎｎｅｌ：  Ｄｏｗｎｌｉｎｋ  Ｌ１/Ｌ２  Ｃｏｎｔｒｏｌ  Ｃｈａｎｎｅｌ）」と呼ばれる。
【００１１】
なお、上述した、サブフレーム毎に、どの移動局ＵＥに対して共有チャネルを割り当てるかを選択する処理のことを、一般に「スケジューリング」と呼ぶ。
【００１２】
この場合、サブフレーム毎に、動的に共有チャネルを割り当てる移動局ＵＥを選択するため、かかる処理は、「Ｄｙｎａｍｉｃスケジューリング」と呼ばれてもよい。
【００１３】
また、上述した「共有チャネルを割り当てる」という表現は、「共有チャネルのための無線リソースを割り当てる」と表現されてもよい。
【００１４】
物理下りリンク制御チャネルの情報には、例えば、「下りリンクスケジューリング情報（Ｄｏｗｎｌｉｎｋ  Ｓｃｈｅｄｕｌｉｎｇ  Ｉｎｆｏｒｍａｔｉｏｎ）」や、「上りリンクスケジューリンググラント（Ｕｐｌｉｎｋ  Ｓｃｈｅｄｕｌｉｎｇ  Ｇｒａｎｔ）」等が含まれる。
【００１５】
「Ｄｏｗｎｌｉｎｋ  Ｓｃｈｅｄｕｌｉｎｇ  Ｉｎｆｏｒｍａｔｉｏｎ」には、例えば、下りリンクの共有チャネルに関する、下りリンクのリソースブロック（Ｒｅｓｏｕｒｃｅ  Ｂｌｏｃｋ）の割り当て情報、ＵＥ-ＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。
【００１６】
また、「Ｕｐｌｉｎｋ  Ｓｃｈｅｄｕｌｉｎｇ  Ｇｒａｎｔ」には、例えば、上りリンクの共有チャネルに関する、上りリンクのリソースブロック（Ｒｅｓｏｕｒｃｅ  Ｂｌｏｃｋ）の割り当て情報、ＵＥ-ＩＤ、データサイズ、変調方式、上りリンクの送信電力情報、Ｕｐｌｉｎｋ  ＭＩＭＯにおけるデモジュレーション  レファレンス  シグナル（Ｄｅｍｏｄｕｌａｔｉｏｎ  Ｒｅｆｅｒｅｎｃｅ  Ｓｉｇｎａｌ）の情報等が含まれる。
【００１７】
なお、上述した「Ｄｏｗｎｌｉｎｋ  Ｓｃｈｅｄｕｌｉｎｇ  Ｉｎｆｏｒａｍｔｉｏｎ」や「Ｕｐｌｉｎｋ  Ｓｃｈｅｄｕｌｉｎｇ  Ｇｒａｎｔ」は、まとめて、「下りリンク制御情報（ＤＣＩ：  Ｄｏｗｎｌｉｎｋ  Ｃｏｎｔｒｏｌ  Ｉｎｆｏｒｍａｔｉｏｎ）」と呼ばれてもよい。
【００１８】
なお、移動局は、前記上りリンクスケジューリンググラントや下りリンクスケジューリングが自局宛てに送信されたかどうかの識別を、前記上りリンクスケジューリンググラントや下りリンクスケジューリング内の「ＵＥ-ＩＤ（ＲＮＴＩ）」を用いて行う。
【００１９】
より具体的には、前記上りリンクスケジューリンググラントや下りリンクスケジューリングに含まれるＣＲＣビットは、送信先の移動局のＲＮＴＩによりマスキングされている。
【００２０】
移動局は、前記ＣＲＣビットを用いて、ＣＲＣチェックを行い、ＣＲＣチェックの結果がＯＫである場合に、自局宛てに上りリンクスケジューリンググラントや下りリンクスケジューリングが送信されたと判断し、ＣＲＣチェックの結果がＮＧである場合に、自局宛てに上りリンクスケジューリンググラントや下りリンクスケジューリングが送信されなかったと判断する。
【００２１】
なお、ＣＲＣビットとは、送信された信号が誤って復号されたか、正しく復号されたかを判定するためのビットである。
【００２２】
したがって、ある移動局が、他の移動局のＲＮＴＩでＣＲＣビットがマスキングされた信号を受信した場合、実際には、誤りなく信号を受信できたとしても、そのＣＲＣチェックの結果はＮＧとなる。
【００２３】
また、前記ＣＲＣビット及びＲＮＴＩのビット数は、例えば、１６ビットである。
【００２４】
なお、一般に、移動局は、１サブフレームにおいて、例えば、４０個の上りリンクスケジューリンググラントや下りリンクスケジューリングの復号を試みる。
【００２５】
この場合、例えば、約４０個の上りリンクスケジューリンググラント又は下りリンクスケジューリングの中には、実際に自局宛てに送信された信号や、他の移動局宛てに送信された信号、どのような信号も送信されず雑音のみが含まれる信号等が含まれる。
【００２６】
一方、ＶｏＩＰ等を実現するために検討されている「Ｐｅｒｓｉｓｔｅｎｔスケジューリング」では、無線基地局ｅＮＢは、ＰＤＣＣＨ（上りリンクスケジューリンググラント又は下りリンクスケジューリング情報）により指定されるサブフレーム（割当開始時点）を起点として、上りリンク又は下りリンクの無線リソース（ＰＵＳＣＨ又はＰＤＳＣＨ）を、所定周期で固定的に当該移動局に割り当てるように構成されている。なお、「Ｐｅｒｓｉｓｔｅｎｔスケジューリング」は、「Ｓｅｍｉ-Ｐｅｒｓｉｓｔｅｎｔスケジューリング」と呼ばれてもよい。
【００２７】
なお、前記割当開始時点は、下りリンクの場合には、下りリンクスケジューリング情報が送信されたサブフレームであり、上りリンクの場合には、上りリンクスケジューリンググラントにより指定される上りリンクの送信サブフレームである。また、前記所定周期は、例えば、２０ｍｓである。
【００２８】
「Ｐｅｒｓｉｓｔｅｎｔスケジューリング」においては、初回送信のみ、ＰＤＣＣＨを介して上りリンクスケジューリンググラント又は下りリンクスケジューリング情報が送信され、それ以降の送信においては、ＰＤＣＣＨを介して上りリンクスケジューリンググラント又は下りリンクスケジューリング情報が送信されないため、上りリンクスケジューリンググラント又は下りリンクスケジューリング情報を送信するために必要な無線リソース（オーバーヘッド）を低減することが可能となり、結果として、効率の良い通信が可能となる。
【００２９】
なお、上述したように、上りリンクスケジューリンググラント又は下りリンクスケジューリング情報には、Ｄｙｎａｍｉｃスケジューリングによるリソースの割当を通知する場合と、Ｐｅｒｓｉｓｔｅｎｔスケジューリングによるリソースの割当を通知する場合の２種類がある。
【００３０】
この場合、上記Ｄｙｎａｍｉｃスケジューリングによる割当か、Ｐｅｒｓｉｓｔｅｎｔスケジューリングによる割当かの識別は、例えば、上りリンクスケジューリンググラント又は下りリンクスケジューリング情報に設定されているＲＮＴＩ等に基づいて行われる。
【００３１】
より具体的には、Ｄｙｎａｍｉｃスケジューリング用のＲＮＴＩと、Ｐｅｒｓｉｓｔｅｎｔスケジューリング用のＲＮＴＩが定義され、そのＣＲＣチェック結果に基づいて、上記Ｄｙｎａｍｉｃスケジューリングによる割当か、Ｐｅｒｓｉｓｔｅｎｔスケジューリングによる割当かの識別が行われる。
【先行技術文献】
【非特許文献】
【００３２】
【非特許文献１】３ＧＰＰ  ＴＳ３６.２１１（Ｖ８.１.０）、"Ｐｈｙｓｉｃａｌ  Ｃｈａｎｎｅｌ  ａｎｄ  Ｍｏｄｕｌａｔｉｏｎ"、２００７年１１月
【非特許文献２】３ＧＰＰ  ＴＳ３６.３００（Ｖ８.３.０）、"Ｅ−ＵＴＲＡ  ａｎｄ  Ｅ-ＵＴＲＡＮ  Ｏｖｅｒａｌｌ  ｄｅｓｃｒｉｐｔｉｏｎ"、２００７年１１月
【発明の概要】
【発明が解決しようとする課題】
【００３３】
上述したように、上りリンクスケジューリンググラント又は下りリンクスケジューリング情報が、上記Ｄｙｎａｍｉｃスケジューリングによる割当を通知しているのか、或いは、Ｐｅｒｓｉｓｔｅｎｔスケジューリングによる割当を通知しているのかの識別は、上りリンクスケジューリンググラント又は下りリンクスケジューリング情報におけるＲＮＴＩ等に基づいて行われる。
【００３４】
また、移動局は、１サブフレーム内（１ｍｓ内）に、４０個程度の前記上りリンクスケジューリンググラント又は下りリンクスケジューリング情報の復号を試みる。
【００３５】
ここで、前記ＣＲＣビット及びＲＮＴＩのビット数は、１６ビットであるため、１／２１６の確率でＦａｌｓｅ  Ａｌａｒｍが発生する。
【００３６】
したがって、４０個の上りリンクスケジューリンググラント又は下りリンクスケジューリング情報の復号を行う場合には、Ｆａｌｓｅ  Ａｌａｒｍが発生する確率は、１／２１６×４０となる。
【００３７】
ここで、Ｆａｌｓｅ  Ａｌａｒｍとは、無線基地局が、移動局に対して、上りリンクスケジューリンググラントや下りリンクスケジューリング情報を送信していないのにも係らず、前記移動局は、自分宛てに、上りリンクスケジューリンググラントや下りリンクスケジューリング情報が送信されたと判定する事象を指す。
【００３８】
例えば、Ｄｙｎａｍｉｃスケジューリングによるリソースの割当の場合には、前記上りリンクスケジューリンググラントや下りリンクスケジューリング情報によるリソースの割当は、基本的には当該サブフレームに限定されるため、前記Ｆａｌｓｅ  Ａｌａｒｍの影響は小さい。
【００３９】
しかしながら、Ｐｅｒｓｉｓｔｅｎｔスケジューリングによるリソース割当の場合には、前記上りリンクスケジューリンググラントや下りリンクスケジューリング情報により、割当開始時点が指定され、かつ、前記割当開始時点を起点として、周期的に、かつ、固定的に無線リソースが割り当てられるため、Ｆａｌｓｅ  Ａｌａｒｍの影響は甚大である。
【００４０】
特に、上りリンクの場合、移動局は、無線基地局が無線リソースを割り当てていないのにも係らず、上りリンクの送信を行うため、前記上りリンクの送信信号が、他の移動局への干渉信号となり、システムの特性が著しく劣化する。
【００４１】
なお、上述したＦａｌｓｅ  Ａｌａｒｍは、ＲＮＴＩではなく、ＰＤＣＣＨ内の特定の１ビットに基づいて、「Ｐｅｒｓｉｓｔｅｎｔスケジューリング」用のＰＤＳＣＨ（下り無線リソース）の固定的な割り当てを指示するＰＤＣＣＨであるのか、或いは、通常の下りスケジューリング用のＰＤＳＣＨ（下り無線リソース）を動的に割り当てるＰＤＣＣＨであるのかについて判定するように構成されている場合にも、同様に生じうる問題である。
【００４２】
そこで、本発明は、上述の課題に鑑みてなされたものであり、「Ｐｅｒｓｉｓｔｅｎｔスケジューリング」における、上りリンクスケジューリンググラントのＦａｌｓｅ  Ａｌａｒｍの確率を低減することにより、安定的、かつ、効率的な移動通信方法、移動局及び無線基地局を提供することを目的とする。
【課題を解決するための手段】
【００４３】
本発明の第１の特徴は、移動局が、割当開始時点を起点として所定周期で固定的に割り当てられている上り無線リソースを用いて、無線基地局に対して上りデータを送信する移動通信方法であって、前記無線基地局が、前記移動局に対して、前記所定周期と、前記上り無線リソースに関する情報とを通知する工程Ａ１と、前記移動局が、前記無線基地局から固定的割当信号を受信した場合に、前記割当開始時点を決定し、該割当開始時点を起点として前記上り無線リソースを介した前記上りデータの送信を行う工程Ｂ１とを有し、前記工程Ｂにおいて、前記移動局は、前記上り無線リソースに関する情報と前記固定的割当信号により通知された情報とが矛盾している場合に、前記固定的割当信号を破棄することを要旨とする。
【００４４】
すなわち、本発明の第１の特徴は、移動局が、所定周期で、所定スケジューリング情報によって割り当てられた上り無線リソースを用いて、無線基地局に対して上りデータを送信する移動通信方法であって、前記移動局に対して、前記所定周期及び前記上り無線リソースに関する情報を通知する工程Ａ２と、前記移動局に対して、所定スケジューリング情報を通知する工程Ｂ２と、受信した前記所定スケジューリング情報に基づいて決定された時点を起点として、前記所定周期で、該所定スケジューリング情報によって割り当てられた上り無線リソースを用いて、上りデータを送信する工程Ｃ２とを有し、前記工程Ｃ２において、前記上り無線リソースに関する情報と前記所定スケジューリング情報により通知された情報とが矛盾している場合に、該所定スケジューリング情報を破棄することを要旨とする。
【００４５】
本発明の第１の特徴において、前記所定周期及び前記上り無線リソースに関する情報は、ＲＲＣメッセージにより通知され、前記固定的割当信号は、下りリンク制御情報により通知されてもよい。
【００４６】
すなわち、本発明の第１の特徴において、前記工程Ａ２において、ＲＲＣメッセージにより、前記所定周期及び前記上り無線リソースに関する情報を通知し、前記工程Ｂ２において、前記移動局に対して、下りリンク制御チャネルを介して、前記所定スケジューリング情報を送信してもよい。
【００４７】
本発明の第１の特徴において、前記上り無線リソースに関する情報は、前記固定的割当信号により指定される情報の範囲を限定し、前記工程Ｂ１において、前記移動局は、前記固定的割当信号により通知された情報が、限定された前記固定的割当信号により指定される情報の範囲に含まれない場合、前記上り無線リソースに関する情報と前記固定的割当信号により通知された情報とが矛盾していると判断してもよい。
【００４８】
すなわち、本発明の第１の特徴において、前記工程Ａ２において、前記上り無線リソースに関する情報によって、前記所定スケジューリング情報により指定可能な情報の範囲を限定し、前記工程Ｃ２において、前記所定スケジューリング情報に含まれる情報が、前記上り無線リソースに関する情報によって限定された前記範囲に含まれない場合、前記上り無線リソースに関する情報と前記所定スケジューリング情報により通知された情報とが矛盾していると判断してもよい。
【００４９】
また、本発明の第１の特徴において、前記固定的割当信号、すなわち、前記所定スケジューリング情報は、リソースブロックの割当情報、変調方式、データサイズ、ＭＣＳ情報、送信フォーマット情報、送信電力制御情報、Ｄｅｍｏｄｕｌａｔｉｏｎ ＲＳのＣｙｃｌｉｃ Ｓｈｉｆｔに関する情報、ＣＱＩ  ｒｅｑｕｅｓｔの少なくとも１つを含んでもよい。
【００５０】
本発明の第２の特徴は、移動局が、所定周期で、所定スケジューリング情報によって割り当てられた上り無線リソースを用いて、無線基地局に対して上りデータを送信する移動通信方法であって、前記移動局に対して、前記所定周期及び前記上り無線リソースに関する情報を通知する工程Ａと、前記移動局に対して、所定スケジューリング情報を通知する工程Ｂと、受信した前記所定スケジューリング情報に基づいて決定された時点を起点として、前記所定周期で、該所定スケジューリング情報によって割り当てられた上り無線リソースを用いて、上りデータを送信する工程Ｃとを有し、前記所定スケジューリング情報に含まれる情報が、予め指定されている内容と合致する場合に、前記工程Ｃを実行してもよい。
【００５１】
本発明の第２の特徴において、前記所定スケジューリング情報は、リソースブロックの割当情報、変調方式、データサイズ、ＭＣＳ情報、送信フォーマット情報、送信電力制御情報、Ｄｅｍｏｄｕｌａｔｉｏｎ ＲＳのＣｙｃｌｉｃ Ｓｈｉｆｔに関する情報、ＣＱＩ  ｒｅｑｕｅｓｔの少なくとも１つを含んでもよい。
【００５２】
本発明の第３の特徴は、割当開始時点を起点として所定周期で固定的に割り当てられている上り無線リソースを用いて、無線基地局に対して上りデータを送信するように構成されている移動局であって、前記無線基地局から、前記所定周期と、前記上り無線リソースに関する情報とを受信するように構成されている固定的通信情報受信部と、前記無線基地局から固定的割当信号を受信した場合に、前記割当開始時点を決定し、該割当開始時点を起点として前記上り無線リソースを介した前記上りデータの送信を行うように構成されている通信部とを具備し、前記通信部は、前記上り無線リソースに関する情報と前記固定的割当信号により通知された情報とが矛盾している場合に、前記固定的割当信号を破棄するように構成されていることを要旨とする。
【００５３】
すなわち、本発明の第３の特徴は、所定周期で、所定スケジューリング情報によって割り当てられた上り無線リソースを用いて、無線基地局に対して上りデータを送信するように構成されている移動局であって、前記無線基地局から、前記所定周期及び前記上り無線リソースに関する情報を受信するように構成されている受信部と、前記無線基地局から受信した前記所定スケジューリング情報に基づいて決定された時点を起点として、前記所定周期で、該所定スケジューリング情報によって割り当てられた上り無線リソースを用いて、上りデータを送信するように構成されている通信部とを具備し、前記通信部は、前記上り無線リソースに関する情報と前記所定スケジューリング情報により通知された情報とが矛盾している場合に、該所定スケジューリング情報を破棄するように構成されていてもよい。
【００５４】
本発明の第３の特徴において、前記所定周期及び前記上り無線リソースに関する情報は、ＲＲＣメッセージにより通知され、前記固定的割当信号は、下りリンク制御情報により通知されてもよい。
【００５５】
すなわち、本発明の第３の特徴において、前記受信部は、ＲＲＣメッセージを介して、前記所定周期及び前記上り無線リソースに関する情報を受信するように構成されており、前記通信部は、下りリンク制御チャネルを介して、前記所定スケジューリング情報を受信するように構成されていてもよい。
【００５６】
また、本発明の第３の特徴において、前記通信部は、前記所定スケジューリング情報に含まれる情報が、前記上り無線リソースに関する情報によって限定された前記所定スケジューリング情報により指定可能な情報の範囲に含まれない場合、前記上り無線リソースに関する情報と前記所定スケジューリング情報により通知された情報とが矛盾していると判断するように構成されていてもよい。
【００５７】
また、本発明の第３の特徴において、前記固定的割当信号、すなわち、前記所定スケジューリング情報は、リソースブロックの割当情報、変調方式、データサイズ、ＭＣＳ情報、送信フォーマット情報、送信電力制御情報、Ｄｅｍｏｄｕｌａｔｉｏｎ ＲＳのＣｙｃｌｉｃ Ｓｈｉｆｔに関する情報、ＣＱＩ  ｒｅｑｕｅｓｔの少なくとも１つを含んでもよい。
【００５８】
本発明の第４の特徴は、所定周期で、所定スケジューリング情報によって割り当てられた上り無線リソースを用いて、無線基地局に対して上りデータを送信するように構成されている移動局であって、前記無線基地局から、前記所定周期及び前記上り無線リソースに関する情報を受信するように構成されている受信部と、前記無線基地局から受信した前記所定スケジューリング情報に基づいて決定された時点を起点として、前記所定周期で、該所定スケジューリング情報によって割り当てられた上り無線リソースを用いて、上りデータを送信するように構成されている通信部とを具備し、前記通信部は、前記所定スケジューリング情報により通知された情報が、予め指定されている内容と合致する場合に、前記上りデータを送信するように構成されていてもよい。
【００５９】
本発明の第４の特徴において、前記固定的割当信号、すなわち、前記所定スケジューリング情報は、リソースブロックの割当情報、変調方式、データサイズ、ＭＣＳ情報、送信フォーマット情報、送信電力制御情報、Ｄｅｍｏｄｕｌａｔｉｏｎ ＲＳのＣｙｃｌｉｃ Ｓｈｉｆｔに関する情報、ＣＱＩ  ｒｅｑｕｅｓｔの少なくとも１つを含んでもよい。
【００６０】
本発明の第５の特徴は、移動局が、割当開始時点を起点として所定周期で固定的に割り当てられている上り無線リソースを用いて、無線基地局に対して上りデータを送信する移動通信システムで用いられる無線基地局であって、前記移動局に対して、前記所定周期と、前記上り無線リソースに関する情報とを通知するように構成されている固定的通信情報送信部と、前記移動局に対して、固定的割当信号を送信するように構成されている固定的割当信号送信部と、前記固定的割当信号により決定される前記割当開始時点を起点とした前記上り無線リソースを介した前記上りデータの受信を行うように構成されている通信部とを具備し、前記固定的割当送信部は、前記上り無線リソースに関する情報として、前記固定的割当信号により指定される情報の範囲を限定する情報を通知するように構成されていてもよい。
【００６１】
すなわち、本発明の第５の特徴は、移動局が、所定周期で、所定スケジューリング情報によって割り当てられた上り無線リソースを用いて、無線基地局に対して上りデータを送信する移動通信システムで用いられる無線基地局であって、前記移動局に対して、前記所定周期及び前記上り無線リソースに関する情報を通知するように構成されている第１送信部と、前記移動局に対して、所定スケジューリング情報を送信するように構成されている第２送信部と、前記所定スケジューリング情報により割り当てられた前記上り無線リソースを用いて前記所定周期で送信された上りデータを受信するように構成されている通信部とを具備し、前記第２送信部は、前記上り無線リソースに関する情報として、前記所定スケジューリング情報により指定可能な情報の範囲を限定する情報を通知するように構成されていることを要旨とする。
【００６２】
本発明の第５の特徴において、前記所定周期及び前記上り無線リソースに関する情報は、ＲＲＣメッセージにより通知され、前記固定的割当信号は、下りリンク制御情報により通知されてもよい。
【００６３】
すなわち、本発明の第５の特徴において、前記第１送信部は、ＲＲＣメッセージにより、前記所定周期及び前記上り無線リソースに関する情報を通知するように構成されており、前記第１送信部は、下りリンク制御チャネルを介して、前記所定スケジューリング情報を通知するように構成されていてもよい。
【００６４】
また、本発明の第５の特徴において、前記固定的割当信号、すなわち、前記所定スケジューリング情報は、リソースブロックの割当情報、変調方式、データサイズ、ＭＣＳ情報、送信フォーマット情報、送信電力制御情報、Ｄｅｍｏｄｕｌａｔｉｏｎ ＲＳのＣｙｃｌｉｃ Ｓｈｉｆｔに関する情報、ＣＱＩ  ｒｅｑｕｅｓｔの少なくとも１つを含んでもよい。
【００６５】
さらに、本発明の第５の特徴において、前記第１送信部は、データ種別に基づいて、前記範囲を決定するように構成されていてもよい。
【発明の効果】
【００６６】
以上説明したように、本発明によれば、「Ｐｅｒｓｉｓｔｅｎｔスケジューリング」において、上りリンクスケジューリンググラントのＦａｌｓｅ  Ａｌａｒｍの確率を低減することが可能であり、結果として、安定的、かつ、効率的な移動通信方法、移動局及び無線基地局を提供することができる。
【図面の簡単な説明】
【００６７】
【図１】本発明の第１の実施形態に係る移動局の機能ブロック図である。
【図２】本発明の第１の実施形態に係る移動通信システムにおける上りリンクスケジューリンググラントについて説明するための図である。
【図３】本発明の第１の実施形態に係る移動通信システムにおいて行われるスケジューリングについて説明するための図である。
【図４】本発明の第１の実施形態に係る無線基地局の機能ブロック図である。
【図５】本発明の第１の実施形態に係る移動局の動作を示すフローチャートである。
【発明を実施するための形態】
【００６８】
（本発明の第１の実施形態に係る移動通信システムの構成）
図１を参照して、本発明の第１の実施形態に係る移動通信システムの構成について説明する。なお、本実施形態では、ＬＴＥ方式の移動通信システムを例に挙げて説明するが、本発明は、他方式の移動通信システムにも適用可能である。
【００６９】
また、本実施形態に係る移動通信システムでは、移動局ＵＥが、割当開始時点を起点として所定周期で固定的に割り当てられているＰＵＳＣＨ（上り無線リソース）を用いて、無線基地局ｅＮＢに対して上りデータを送信するように構成されている。
【００７０】
すなわち、本実施形態に係る移動通信システムでは、移動局ＵＥが、所定周期で、所定スケジューリング情報によって割り当てられた上り無線リソースを用いて、無線基地局に対して上りデータを送信するように構成されている。
【００７１】
図１に示すように、移動局ＵＥは、Ｐｅｒｓｉｓｔｅｎｔ情報受信部１１と、Ｐｅｒｓｉｓｔｅｎｔ割当信号受信部１２と、上りデータ送信部１３とを具備している。
【００７２】
Ｐｅｒｓｉｓｔｅｎｔ情報受信部１１は、無線基地局ｅＮＢから、上述の所定周期と上り無線リソースに関する情報とを含むＰｅｒｓｉｓｔｅｎｔ情報を受信するように構成されている。
【００７３】
また、Ｐｅｒｓｉｓｔｅｎｔ情報受信部１１は、前記上り無線リソースに関する情報を、Ｐｅｒｓｉｓｔｅｎｔ割当信号受信部１２に通知するように構成されている。
【００７４】
具体的には、Ｐｅｒｓｉｓｔｅｎｔ情報受信部１１は、無線基地局ｅＮＢによって送信されたＲＲＣメッセージに基づいて、上述のＰｅｒｓｉｓｔｅｎｔ情報を取得するように構成されている。
【００７５】
ここで、上り無線リソースに関する情報とは、例えば、後述する固定的割当信号（すなわち、所定スケジューリング情報）、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報の範囲を制限するための情報である。
【００７６】
以下、さらに詳細に説明する。
【００７７】
前記固定的な割当を指示するＰＤＣＣＨ（上りリンクスケジューリンググラント）の情報要素は、例えば、図２に示されるような情報である。
【００７８】
「Ｆｏｒｍａｔ  ｉｎｄｉｃａｔｏｒ」は、当該ＰＤＣＣＨが上りリンクのための情報か、下りリンクのための情報か示す情報である。前記下りリンクのための情報は、簡易下りリンク制御情報とも呼ばれる。
【００７９】
「Ｈｏｐｐｉｎｇ  ｆｌａｇ」は、当該ＰＤＣＣＨにより送信が指示される上りリンクの信号に、ホッピングが適用されるか否かを示す情報である。
【００８０】
「ＲＢ  ａｓｓｉｇｎｍｅｎｔ  ｉｎｆｏｒｍａｔｉｏｎ」は、当該ＰＤＣＣＨにより送信が指示される上りリンクの信号に関するリソースブロックの割当情報を示す情報である。
【００８１】
「ＭＣＳ  ｉｎｆｏｒｍａｔｉｏｎ」は、当該ＰＤＣＣＨにより送信が指示される上りリンクの信号に関するＭＣＳに関する情報を示す情報である。ここで、前記ＭＣＳに関する情報とは、例えば、データサイズや、変調方式や、ＨＡＲＱにおけるＲｅｄｕｎｄａｎｃｙ  Ｖｅｒｓｉｏｎパラメータ等の情報である。
【００８２】
「Ｎｅｗ  Ｄａｔａ  Ｉｎｄｉｃａｔｏｒ」は、当該ＰＤＣＣＨにより送信が指示される上りリンクの信号が新規送信であるか、再送であるかを示す情報である。
【００８３】
「ＴＰＣ」は、当該ＰＤＣＣＨにより指定される上りリンクの信号の上りリンクの送信電力制御のための情報である。
【００８４】
「Ｃｙｃｌｉｃ  ｓｈｉｆｔ  ｆｏｒ  ＤＭＲＳ」は、当該ＰＤＣＣＨにより指定される上りリンクの信号である「Ｄｅｍｏｄｕｌａｔｉｏｎ  Ｒｅｆｅｒｅｎｃｅ  ｓｉｇｎａｌ」の「Ｃｙｃｌｉｃ  ｓｈｉｆｔ」に関する情報である。
【００８５】
「ＣＱＩ  ｒｅｑｕｅｓｔ」は、上りリンクにおいてＣＱＩを送信することを指示する情報である。
【００８６】
「ＲＮＴＩ/ＣＲＣ」は、「ＵＥ-ＩＤ（ＲＮＴＩ）」によりマスキングされたＣＲＣビットである。
【００８７】
なお、上述したＰＤＣＣＨ（上りリンクスケジューリンググラント）の情報要素は、一例であり、上記以外の情報要素が含まれていてもよいし、或いは、上記の情報要素の一部が含まれていなくてもよい。
【００８８】
そして、前記上り無線リソースに関する情報は、以下に説明するように、上述したＰＤＣＣＨ（上りリンクスケジューリンググラント）により通知される情報の範囲を制限するための情報であってもよい。
【００８９】
例えば、前記上り無線リソースに関する情報は、前記「ＲＢ  ａｓｓｉｇｎｍｅｎｔ  ｉｎｆｏｒｍａｔｉｏｎ」により通知される情報の範囲を制限するための情報であってもよい。
【００９０】
より具体的には、前記上り無線リソースに関する情報は、前記「ＲＢ  ａｓｓｉｇｎｍｅｎｔ  ｉｎｆｏｒｍａｔｉｏｎ」により通知されるリソースブロックの数を制限するための情報であってもよい。
【００９１】
また、前記上り無線リソースに関する情報は、前記「ＲＢ  ａｓｓｉｇｎｍｅｎｔ  ｉｎｆｏｒｍａｔｉｏｎ」により通知されるリソースブロックの数を「２」又は「３」に制限するという情報であってもよい。
【００９２】
この場合、前記ＰＤＣＣＨ（上りリンクスケジューリンググラント）により通知されたリソースブロックの数が「２」でも「３」でもない場合には、前記上り無線リソースに関する情報と前記ＰＤＣＣＨ（上りリンクスケジューリンググラント）により通知される情報（ＲＢ  ａｓｓｉｇｎｍｅｎｔ  ｉｎｆｏｒｍａｔｉｏｎ）とが矛盾することになる。
【００９３】
また、前記上り無線リソースに関する情報は、前記「ＲＢ  ａｓｓｉｇｎｍｅｎｔ  ｉｎｆｏｒｍａｔｉｏｎ」により通知されるリソースブロックの数を「３」以下に制限するという情報であってもよい。
【００９４】
すなわち、前記上り無線リソースに関する情報は、前記「ＲＢ  ａｓｓｉｇｎｍｅｎｔ  ｉｎｆｏｒｍａｔｉｏｎ」により通知されるリソースブロックの数の最大値を通知する情報であってもよい。
【００９５】
この場合、前記ＰＤＣＣＨ（上りリンクスケジューリンググラント）により通知されたリソースブロックの数が「３」以下ではない場合には、前記上り無線リソースに関する情報と前記ＰＤＣＣＨ（上りリンクスケジューリンググラント）により通知される情報（ＲＢ  ａｓｓｉｇｎｍｅｎｔ  ｉｎｆｏｒｍａｔｉｏｎ）とが矛盾することになる。
【００９６】
なお、上述した例では、前記上り無線リソースに関する情報は、前記「ＲＢ  ａｓｓｉｇｎｍｅｎｔ  ｉｎｆｏｒｍａｔｉｏｎ」により通知されるリソースブロックの数の最大値を通知したが、代わりに、最小値を通知してもよい。
【００９７】
或いは、前記上り無線リソースに関する情報は、前記「ＲＢ  ａｓｓｉｇｎｍｅｎｔ  ｉｎｆｏｒｍａｔｉｏｎ」により通知されるリソースブロックの数の最大値と最小値の両方を通知してもよい。
【００９８】
例えば、前記上り無線リソースに関する情報は、前記「ＲＢ  ａｓｓｉｇｎｍｅｎｔ  ｉｎｆｏｒｍａｔｉｏｎ」により通知されるリソースブロックの数の最大値として「１０」を通知し、最小値として「５」を通知してもよい。
【００９９】
この場合、前記ＰＤＣＣＨ（上りリンクスケジューリンググラント）により通知されたリソースブロックの数が「１０」よりも大きい場合、又は、当該リソースブロックの数が「５」よりも小さい場合には、前記上り無線リソースに関する情報と前記ＰＤＣＣＨ（上りリンクスケジューリンググラント）により通知される情報（ＲＢ  ａｓｓｉｇｎｍｅｎｔ  ｉｎｆｏｒｍａｔｉｏｎ）とが矛盾することになる。
【０１００】
また、前記上り無線リソースに関する情報は、前記「ＲＢ  ａｓｓｉｇｎｍｅｎｔ  ｉｎｆｏｒｍａｔｉｏｎ」により通知される情報の範囲を制限するのであれば、上述した「リソースブロックの数を制限する」といった制限方法に限定されず、その他の制限方法により、前記「ＲＢ  ａｓｓｉｇｎｍｅｎｔ  ｉｎｆｏｒｍａｔｉｏｎ」により通知される情報の範囲を制限してもよい。
【０１０１】
例えば、前記上り無線リソースに関する情報は、前記「ＲＢ  ａｓｓｉｇｎｍｅｎｔ  ｉｎｆｏｒｍａｔｉｏｎ」により通知されるリソースブロックの周波数方向の位置を制限するための情報であってもよい。
【０１０２】
或いは、例えば、前記上り無線リソースに関する情報は、前記「ＭＣＳ  ｉｎｆｏｒｍａｔｉｏｎ」により通知される情報、例えば、変調方式やデータサイズ等の範囲を制限するための情報であってもよい。
【０１０３】
より具体的には、前記上り無線リソースに関する情報は、前記「ＭＣＳ  ｉｎｆｏｒｍａｔｉｏｎ」により通知される変調方式を制限するための情報であってもよい。
【０１０４】
例えば、前記上り無線リソースに関する情報は、前記「ＭＣＳ  ｉｎｆｏｒｍａｔｉｏｎｅｎｔ」により通知される変調方式を「ＱＰＳＫ」に制限するという情報であってもよい。
【０１０５】
この場合、前記ＰＤＣＣＨ（上りリンクスケジューリンググラント）により通知された変調方式が「ＱＰＳＫ」以外である場合、例えば、かかる変調方式が「１６ＱＡＭ」である場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾することになる。
【０１０６】
なお、上述した例においては、上記上り無線リソースに関する情報は、前記ＭＣＳ  ｉｎｆｏｒｍａｔｉｏｎｅｎｔにより通知される変調方式を「ＱＰＳＫ」に制限する例を示したが、代わりに、前記「ＭＣＳ  ｉｎｆｏｒｍａｔｉｏｎｅｎｔ」により通知される変調方式を「１６ＱＡＭ」に制限してもよいし、「６４ＱＡＭ」に制限してもよいし、「ＱＰＳＫ」と「１６ＱＡＭ」の２種類に制限してもよい。
【０１０７】
より具体的には、上り無線リソースに関する情報は、前記「ＭＣＳ  ｉｎｆｏｒｍａｔｉｏｎｅｎｔ」により通知される変調方式、「ＱＰＳＫ」、「１６ＱＡＭ」、「６４ＱＡＭ」のそれぞれに関して、適用の有無を通知してもよい。
【０１０８】
或いは、例えば、前記上り無線リソースに関する情報は、前記「ＭＣＳ  ｉｎｆｏｒｍａｔｉｏｎ」により通知されるデータサイズを制限するための情報であってもよい。
【０１０９】
例えば、前記上り無線リソースに関する情報は、前記「ＭＣＳ  ｉｎｆｏｒｍａｔｉｏｎｅｎｔ」により通知されるデータサイズを「３２０ビット」に制限するという情報であってもよい。
【０１１０】
この場合、前記ＰＤＣＣＨ（上りリンクスケジューリンググラント）により通知されたデータサイズが「３２０ビット」以外である場合、例えば、かかるデータサイズが「５１２ビット」である場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾することになる。
【０１１１】
なお、上述した「３２０ビット」という値は、一例であり、「３２０ビット」以外のビット数が指定されてもよい。
【０１１２】
また、上述した例においては、１種類のデータサイズが指定されたが、２種類以上のデータサイズが指定されてもよい。
【０１１３】
すなわち、例えば、前記上り無線リソースに関する情報は、前記「ＭＣＳ  ｉｎｆｏｒｍａｔｉｏｎｅｎｔ」により通知されるデータサイズを「３２０ビット」及び「６４０ビット」に制限するという情報であってもよい。
【０１１４】
或いは、例えば、前記上り無線リソースに関する情報は、前記「ＭＣＳ  ｉｎｆｏｒｍａｔｉｏｎｅｎｔ」により通知されるデータサイズを「３２０ビット」以下に制限するという情報であってもよい。
【０１１５】
この場合、前記ＰＤＣＣＨ（上りリンクスケジューリンググラント）により通知されたデータサイズが「３２０ビット」よりも大きい場合、例えば、かかるデータサイズが「５１２ビット」である場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾することになる。
【０１１６】
なお、上述した「３２０ビット」という値は、一例であり、「３２０ビット」以外のビット数が指定されてもよい。また、上述した例では、データサイズの最大値が指定されたが、代わりに、データサイズの最小値が指定されてもよい。
【０１１７】
或いは、データサイズの最大値及び最小値の両方が指定されてもよい。例えば、前記データサイズの最大値として「６４０ビット」が指定され、最小値として、「３２０ビット」が指定されてもよい。
【０１１８】
この場合、前記ＰＤＣＣＨ（上りリンクスケジューリンググラント）により通知されたデータサイズが「６４０ビット」よりも大きい場合、又は、当該データサイズが「３２０ビット」よりも小さい場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾することになる。
【０１１９】
なお、上述した例においては、前記上り無線リソースに関する情報により、「ＲＢ  ａｓｓｉｎｇｍｅｎｔ  ｉｎｆｏｒｍａｔｉｏｎ」により通知される情報、或いは、「ＭＣＳ  ｉｎｆｏｒｍａｔｉｏｎ」により通知される情報が制限される場合を示したが、代わりに、前記上り無線リソースに関する情報により、上記以外の情報要素が同様の方法で制限されてもよい。
【０１２０】
また、上述した、「ＲＢ  ａｓｓｉｇｎｍｅｎｔ  ｉｎｆｏｒｍａｔｉｏｎ」や「ＭＣＳ  ｉｎｆｏｒｍａｔｉｏｎ」は、リソースブロックに関する情報や、変調方式や、データサイズに関する情報であり、「送信フォーマットに関する情報」と呼ばれてもよい。
【０１２１】
Ｐｅｒｓｉｓｔｅｎｔ割当信号受信部１２は、無線基地局ｅＮＢから固定的割当信号を受信するように構成されている。
【０１２２】
具体的には、Ｐｅｒｓｉｓｔｅｎｔ割当信号受信部１２は、無線基地局ｅＮＢから、固定的割当信号として、自局宛てに送信された、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）を受信するように構成されている。
【０１２３】
例えば、Ｐｅｒｓｉｓｔｅｎｔ割当信号受信部１２は、ＰＤＣＣＨに設定されているＲＮＴＩ等に基づいて、自局宛てに、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）が送信されたか否かを判定するように構成されていてもよい。
【０１２４】
また、Ｐｅｒｓｉｓｔｅｎｔ割当信号受信部１２は、ＰＤＣＣＨに設定されているＲＮＴＩ等に基づいて、ＰＵＳＣＨ（上り無線リソース）を動的に割り当てるＰＤＣＣＨ、すなわち、Ｄｙｎａｍｉｃスケジューリングのための上りリンクスケジューリンググランドであるのかについて判定するように構成されていてもよい。
【０１２５】
なお、ＬＴＥ方式のＰｅｒｓｉｓｔｅｎｔスケジューリングの方法として、ＰＤＣＣＨ内の特定の１ビットに基づいて、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）であるのか、或いは、ＰＵＳＣＨ（上り無線リソース）を動的に割り当てるＰＤＣＣＨ、すなわち、Ｄｙｎａｍｉｃスケジューリングのための上りリンクスケジューリンググランドであるのかについて判定するように定義されている場合には、Ｐｅｒｓｉｓｔｅｎｔ割当信号受信部１２は、前記１ビットに基づいて、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）であるのか、或いは、ＰＵＳＣＨ（上り無線リソース）を動的に割り当てるＰＤＣＣＨ、すなわち、Ｄｙｎａｍｉｃスケジューリングのための上りリンクスケジューリンググランドであるのかについて判定するように構成されていてもよい。
【０１２６】
或いは、ＬＴＥ方式のＰｅｒｓｉｓｔｅｎｔスケジューリングの方法として、ＰＤＣＣＨ内の情報要素の一部が、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）であるのか、或いは、ＰＵＳＣＨ（上り無線リソース）を動的に割り当てるＰＤＣＣＨ、すなわち、Ｄｙｎａｍｉｃスケジューリングのための上りリンクスケジューリンググラントであるのかを示すように定義されている場合に、Ｐｅｒｓｉｓｔｅｎｔ割当信号受信部１２は、前記ＰＤＣＣＨ内の情報要素の一部に基づいて、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）であるのか、或いは、ＰＵＳＣＨ（上り無線リソース）を動的に割り当てるＰＤＣＣＨ、すなわち、Ｄｙｎａｍｉｃスケジューリングのための上りリンクスケジューリンググラントであるのかについて判定するように構成されていてもよい。
【０１２７】
また、Ｐｅｒｓｉｓｔｅｎ割当信号受信部１２は、Ｐｅｒｓｉｓｔｅｎｔ情報受信部１１より、前記上り無線リソースに関する情報を受け取るように構成されている。
【０１２８】
ここで、前記上り無線リソースに関する情報とは、上述したように、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報の範囲を制限するための情報である。
【０１２９】
そして、Ｐｅｒｓｉｓｔｅｎｔ割当信号受信部１２は、前記上り無線リソースに関する情報と、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報とが矛盾するか否かを判定する。
【０１３０】
Ｐｅｒｓｉｓｔｅｎｔ割当信号受信部１２は、前記上り無線リソースに関する情報と、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報とが矛盾すると判定した場合には、自局宛てに送信されたと判定した、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を破棄する。
【０１３１】
すなわち、かかる場合、Ｐｅｒｓｉｓｔｅｎｔ割当信号受信部１２は、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報は、自局宛てに送信されなかったものと看做す。
【０１３２】
Ｐｅｒｓｉｓｔｅｎｔ割当信号受信部１２は、上述した処理において、破棄されなかった、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を、上りデータ送信部１３に与える。
【０１３３】
上述した、固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を破棄する処理に関して、以下に、その例を示す。
【０１３４】
例えば、前記上り無線リソースに関する情報が、前記「ＲＢ  ａｓｓｉｇｎｍｅｎｔ  ｉｎｆｏｒｍａｔｉｏｎ」により通知されるリソースブロックの数を「２」又は「３」に制限するという情報である場合に、前記ＰＤＣＣＨ（上りリンクスケジューリンググラント）により通知されたリソースブロックの数が「２」でも「３」でもない場合には、前記上り無線リソースに関する情報と前記ＰＤＣＣＨ（上りリンクスケジューリンググラント）により通知される情報（ＲＢ  ａｓｓｉｇｎｍｅｎｔ  ｉｎｆｏｒｍａｔｉｏｎ）とが矛盾すると判定し、前記ＰＤＣＣＨ（上りリンクスケジューリンググラント）を破棄する
。
【０１３５】
或いは、例えば、前記上り無線リソースに関する情報が、前記「ＲＢ  ａｓｓｉｇｎｍｅｎｔ  ｉｎｆｏｒｍａｔｉｏｎ」により通知されるリソースブロックの数を「３」以下に制限するという情報である場合に、前記ＰＤＣＣＨ（上りリンクスケジューリンググラント）により通知されたリソースブロックの数が「３」以下ではない場合、例えば、かかるリソースブロックの数が「５」である場合には、前記上り無線リソースに関する情報と前記ＰＤＣＣＨ（上りリンクスケジューリンググラント）により通知される情報（ＲＢ  ａｓｓｉｇｎｍｅｎｔ  ｉｎｆｏｒｍａｔｉｏｎ）とが矛盾すると判定し、前記ＰＤＣＣＨ（上りリンクスケジューリンググラント）を破棄する。
【０１３６】
或いは、例えば、前記上り無線リソースに関する情報が、前記「ＲＢ  ａｓｓｉｇｎｍｅｎｔ  ｉｎｆｏｒｍａｔｉｏｎ」により通知されるリソースブロックの数を「１０」以下、かつ、「５」以上に制限するという情報である場合に、前記ＰＤＣＣＨ（上りリンクスケジューリンググラント）により通知されたリソースブロックの数が「１０」よりも大きい場合、または、「５」よりも小さい場合、例えば、かかるリソースブロックの数が「１２」である場合には、前記上り無線リソースに関する情報と前記ＰＤＣＣＨ（上りリンクスケジューリンググラント）により通知される情報（ＲＢ  ａｓｓｉｇｎｍｅｎｔ  ｉｎｆｏｒｍａｔｉｏｎ）とが矛盾すると判定し、前記ＰＤＣＣＨ（上りリンクスケジューリンググラント）を破棄する。
【０１３７】
或いは、例えば、前記上り無線リソースに関する情報が、前記「ＭＣＳ  ｉｎｆｏｒｍａｔｉｏｎ」により通知される変調方式を「ＱＰＳＫ」に制限するという情報である場合に、前記ＰＤＣＣＨ（上りリンクスケジューリンググラント）により通知された変調方式が「ＱＰＳＫ」ではない場合、例えば、かかる変調方式がが「１６ＱＡＭ」である場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾すると判定し、前記ＰＤＣＣＨ（上りリンクスケジューリンググラント）を破棄する。
【０１３８】
或いは、例えば、前記上り無線リソースに関する情報が、前記「ＭＣＳ  ｉｎｆｏｒｍａｔｉｏｎ」により通知されるデータサイズを「３２０ビット」に制限するという情報である場合に、前記ＰＤＣＣＨ（上りリンクスケジューリンググラント）により通知されたデータサイズが「３２０ビット」ではない場合、例えば、かかるデータサイズが「１０２４ビット」である場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾すると判定し、前記ＰＤＣＣＨ（上りリンクスケジューリンググラント）を破棄する。
【０１３９】
或いは、例えば、前記上り無線リソースに関する情報が、前記「ＭＣＳ  ｉｎｆｏｒｍａｔｉｏｎ」により通知されるデータサイズを「３２０ビット」以下に制限するという情報である場合に、前記ＰＤＣＣＨ（上りリンクスケジューリンググラント）により通知されたデータサイズが「３２０ビット」以下ではない場合、例えば、かかるデータサイズが「５１２ビット」である場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾すると判定し、前記ＰＤＣＣＨ（上りリンクスケジューリンググラント）を破棄する。
【０１４０】
或いは、例えば、前記上り無線リソースに関する情報が、前記「ＭＣＳ  ｉｎｆｏｒｍａｔｉｏｎ」により通知されるデータサイズを「６４０ビット」以下、かつ、「３２０ビット」以上に制限するという情報である場合に、前記ＰＤＣＣＨ（上りリンクスケジューリンググラント）により通知されたデータサイズが「６４０ビット」よりも大きい場合、又は、当該データサイズが「３２０ビット」よりも小さい場合、例えば、かかるデータサイズが「１０２４ビット」である場合には、前記上り無線リソースに関する情報と前記ＰＤＣＣＨ（上りリンクスケジューリンググラント）により通知される情報（ＭＣＳ  ｉｎｆｏｒｍａｔｉｏｎ）とが矛盾すると判定し、前記ＰＤＣＣＨ（上りリンクスケジューリンググラント）を破棄する。
【０１４１】
なお、上述した例において、Ｐｅｒｓｉｓｔｅｎｔ割当信号受信部１２は、前記上り無線リソースに関する情報と、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報とが矛盾するか否かを判定したが、代わりに、上記以外の矛盾が存在するか否かを判定し、かかる矛盾が存在すると判定した場合に、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を破棄してもよい。
【０１４２】
例えば、Ｐｅｒｓｉｓｔｅｎｔ割当信号受信部１２は、当該移動局の能力（Ｃａｐａｂｉｌｉｔｙ）として、上りリンクの「６４ＱＡＭ」の送信をサポートしていない場合に、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により「６４ＱＡＭ」の送信を指示された場合には、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を破棄してもよい。
【０１４３】
或いは、Ｐｅｒｓｉｓｔｅｎｔ割当信号受信部１２は、当該移動局の能力（Ｃａｐａｂｉｌｉｔｙ）として、送信可能な最大のデータサイズが「１００００ビット」である場合に、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により「２００００ビット」のデータサイズで上りリンクの信号を送信することを指示された場合には、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を破棄してもよい。
【０１４４】
或いは、一般に、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）には、情報として意味を持たないビットパターンが存在する。
【０１４５】
よって、Ｐｅｒｓｉｓｔｅｎｔ割当信号受信部１２は、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）の一部のビットパターンが、情報として意味を持たない場合に、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を破棄してもよい。
【０１４６】
なお、「ビットパターンが情報として意味を持たない」という表現は、言い換えれば、通知されるはずのないビットパターンであると表現されてもよい。
【０１４７】
この場合、Ｐｅｒｓｉｓｔｅｎｔ割当信号受信部１２は、前記上り無線リソースに関する情報に関係なく、上述した、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）の一部のビットパターンが情報として意味を持つか持たないかの判定を行ってもよい。
【０１４８】
或いは、Ｐｅｒｓｉｓｔｅｎｔ割当信号受信部１２は、前記上り無線リソースに関する情報が存在しない場合において、上述した、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）の一部のビットパターンが情報として意味を持つか持たないかの判定を行ってもよい。
【０１４９】
ここで、上述の「通知されるはずのないビットパターン」の例について示す。
【０１５０】
例えば、前記固定的割当信号においては、図２の「ＲＢ  ａｓｓｉｇｎｍｅｎｔ  ｉｎｆｏｒｍａｔｉｏｎ」が示すＲＢ数の値が、常に「１０」以下になると定義されている場合に、前記「ＲＢ  ａｓｓｉｇｎｍｅｎｔ  ｉｎｆｏｒｍａｔｉｏｎ」が示すＲＢ数として「１０」よりも大きい値を示すビットパターンは、通知されるはずのないビットパターンとなる。
【０１５１】
すなわち、移動局ＵＥは、前記固定的割当信号内の「ＲＢ  ａｓｓｉｇｎｍｅｎｔ  ｉｎｆｏｒｍａｔｉｏｎ」が示すＲＢ数の値が「１０」よりも大きい場合に、前記固定的割当信号を破棄する。
【０１５２】
或いは、例えば、前記固定的割当信号においては、図２の「ＭＣＳ  ｉｎｆｏｒｍａｔｉｏｎ」が示すデータサイズの値が、常に「１０００」以下になると定義されている場合に、前記「ＭＣＳ  ｉｎｆｏｒｍａｔｉｏｎ」が示すデータサイズとして「１０００」よりも大きい値を示すビットパターンは、通知されるはずのないビットパターンとなる。
【０１５３】
すなわち、移動局ＵＥは、前記固定的割当信号内の「ＭＣＳ  ｉｎｆｏｒｍａｔｉｏｎ」が示すデータサイズの値が「１０００」よりも大きい場合に、前記固定的割当信号を破棄する。
【０１５４】
なお、前記『「ＭＣＳ  ｉｎｆｏｒｍａｔｉｏｎ」が示すデータサイズの値が「１０００」よりも大きい場合』とは、例えば、前記「ＭＣＳ  ｉｎｆｏｒｍａｔｉｏｎ」の一部のビットが所定の値でない、という意味であってもよい。例えば、４桁の二進数（以下、「ａｂｃｄ」と記載する。先頭の「ａ」が「Ｍｏｓｔ  Ｓｉｇｎｉｆｉｃａｎｔ  ｂｉｔ」である。）で前記データサイズが定義される場合、データサイズは、十進数で表記すると以下となる。
【０１５５】
（十進数のデータサイズ）＝２３×ａ + ２２×ｂ ＋ ２１×ｃ ＋２０×ｄ
ここで、「Ｍｏｓｔ  Ｓｉｇｎｉｆｉｃａｎｔ  ｂｉｔ」である「ａ」が「０」でない場合、すなわち、「１」である場合、データサイズは「８」以上となる。
【０１５６】
すなわち、移動局ＵＥは、前記固定的割当信号内の「ＭＣＳ  ｉｎｆｏｒｍａｔｉｏｎ」の一部のビットが所定の値ではない場合に、前記固定的割当信号を破棄してもよい。
【０１５７】
さらに言うと、移動局ＵＥは、前記固定的割当信号内の「ＭＣＳ  ｉｎｆｏｒｍａｔｉｏｎ」の「Ｍｏｓｔ  ｓｉｇｎｉｆｉｃａｎｔｂｉｔ」が所定の値ではない場合（例えば、上述した例では、「Ｍｏｓｔ  ｓｉｇｎｉｆｉｃａｎｔ  ｂｉｔ」が「０」でない場合）、或いは、「Ｍｏｓｔ  ｓｉｇｎｉｆｉｃａｎｔ  ｂｉｔ」から連続する所定の数のビットの値が所定の値ではない場合に（例えば、上述した例において、「連続する２個のビットの値が所定の値ではない場合」と仮定すると、「ａ」と「ｂ」の両方の値が「０」でない場合）、前記固定的割当信号を破棄してもよい。
【０１５８】
なお、前記「ＭＣＳ  ｉｎｆｏｒｍａｔｉｏｎ」が、データサイズ及び変調方式の両方を通知する場合にも、同様の処理が適用されてもよい。
【０１５９】
或いは、例えば、前記固定的割当信号においては、図２の「ＭＣＳ  ｉｎｆｏｒｍａｔｉｏｎ」が示す変調方式が、常に「ＱＰＳＫ」であると定義されている場合に、前記「ＭＣＳ  ｉｎｆｏｒｍａｔｉｏｎ」が示す変調方式として「１６ＱＡＭ」又は「６４ＱＡＭ」を示すビットパターンは、通知されるはずのないビットパターンとなる。
【０１６０】
すなわち、移動局ＵＥは、前記固定的割当信号内の「ＭＣＳ  ｉｎｆｏｒｍａｔｉｏｎ」が示す変調方式が「ＱＰＳＫ」でない場合に、前記固定的割当信号を破棄する。
【０１６１】
或いは、例えば、前記固定的割当信号は、基本的に、新規送信を指示する信号であるため、前記「ＭＣＳ  ｉｎｆｏｒｍａｔｉｏｎ」における再送時の変調方式を指定するビットパターンは、通知されるはずのないビットパターンとなる。
【０１６２】
すなわち、移動局ＵＥは、前記固定的割当信号内の「ＭＣＳ  ｉｎｆｏｒｍａｔｉｏｎ」が再送時の変調方式を指定するビットパターンである場合に、前記固定的割当信号を破棄する。
【０１６３】
或いは、例えば、前記固定的割当信号においては、図２の「ＴＰＣ」の値として、常に「１」が設定されていると定義されている場合に、前記「ＴＰＣ」の値としての「０」は、通知されるはずのないビットパターンとなる。
【０１６４】
すなわち、移動局ＵＥは、前記固定的割当信号内の「ＴＰＣ」の値が「０」である場合に、前記固定的割当信号を破棄する。
【０１６５】
なお、上述した例では、「ＴＰＣ」のビット数は、「１」であるが、「１」以外の値、例えば「２」や「３」であってもよい。例えば、「ＴＰＣ」のビット数が「２」である場合で、「ＴＰＣ」の値として、常に「１１」が設定されていると定義されている場合には、「１０」、「０１」、「００」が、通知されるはずのないビットパターンとなる。
【０１６６】
或いは、例えば、前記固定的割当信号においては、図２の「Ｃｙｃｌｉｃ  Ｓｈｉｆｔ  ｆｏｒ  ＤＭＲＳ」の値として、常に「１」が設定されていると定義されている場合に、前記「Ｃｙｃｌｉｃ  Ｓｈｉｆｔ  ｆｏｒ  ＤＭＲＳ」の値としての「０」は、通知されるはずのないビットパターンとなる。
【０１６７】
すなわち、移動局ＵＥは、前記固定的割当信号内の「Ｃｙｃｌｉｃ  Ｓｈｉｆｔ  ｆｏｒ  ＤＭＲＳ」の値が「０」である場合に、前記固定的割当信号を破棄する。
【０１６８】
なお、上述した例において、「Ｃｙｃｌｉｃ  Ｓｈｉｆｔ  ｆｏｒ  ＤＭＲＳ」のビット数は、「１」であるが、「１」以外の値、例えば「２」や「３」であってもよい。
【０１６９】
或いは、例えば、前記固定的割当信号においては、図２の「ＣＱＩ  ｒｅｑｕｅｓｔ」の値として、常に「１」が設定されていると定義されている場合に、前記「ＣＱＩ  ｒｅｑｕｅｓｔ」の値としての「０」は、通知されるはずのないビットパターンとなる。
【０１７０】
すなわち、移動局ＵＥは、前記固定的割当信号内の「ＣＱＩ  ｒｅｑｕｅｓｔ」の値が「０」である場合に、前記固定的割当信号を破棄する。
【０１７１】
或いは、例えば、前記固定的割当信号において、図２の「Ｎｅｗ  Ｄａｔａ  Ｉｎｄｉｃａｔｏｒ」の値として、常に「１」が設定されていると定義されている場合に、前記「Ｎｅｗ  Ｄａｔａ  Ｉｎｄｉｃａｔｏｒ」の値としての「０」は、通知されるはずのないビットパターンとなる。
【０１７２】
すなわち、移動局ＵＥは、前記固定的割当信号内の「Ｎｅｗ  Ｄａｔａ  Ｉｎｄｉｃａｔｏｒ」の値が「０」である場合に、前記固定的割当信号を破棄する。
【０１７３】
或いは、移動局ＵＥは、過去に受信した固定的割当信号内の情報に基づいて、上述した「通知されるはずのないビットパターン」を識別してもよい。
【０１７４】
例えば、移動局ＵＥは、過去に受信した固定的割当信号内の「ＭＣＳ  ｉｎｆｏｒｍａｔｉｏｎ」が示すデータサイズが常に「３２０ビット」である場合に、「３２０ビット」以外のデータサイズを示すビットパターンを、通知されるはずのないビットパターンとみなしてもよい。
【０１７５】
なお、過去に一度も正しい固定的割当信号を受信していない状態で、「Ｆａｌｓｅ  Ａｌａｒｍ」が発生することを考慮し、例えば、移動局ＵＥは、過去に「３回」以上同じデータサイズの固定的割当信号を受信した場合に、前記データサイズ以外のデータサイズを示すビットパターンを、通知されるはずのないビットパターンとみなしてもよい。
【０１７６】
或いは、移動局ＵＥは、過去に「３回」以上連続して同じデータサイズの固定的割当信号を受信した場合に、前記データサイズ以外のデータサイズを示すビットパターンを、通知されるはずのないビットパターンとみなしてもよい。
【０１７７】
なお、上述した例において、「３２０ビット」という数字や「３回」という数字は、一例であり、上記以外の値であってもよい。
【０１７８】
なお、上述した、「Ｐｅｒｓｉｓｔｅｎｔスケジューリング」用のＰＵＳＣＨ（上り無線リソース）の固定的な割り当てを指示するＰＤＣＣＨ（下りリンクスケジューリング）を破棄する処理は、複数の処理が同時に適用されてもよい。
【０１７９】
すなわち、複数の、上記固定的な割り当てを指示するＰＤＣＣＨを破棄する処理が行われ、少なくとも１つの処理において、ＰＤＣＣＨが破棄されると判定された場合に、かかるＰＤＣＣＨを破棄するという処理が行われてもよい。
【０１８０】
上りデータ送信部１３は、ＰＤＣＣＨによって割り当てられたＰＵＳＣＨ（上り無線リソース）を介して送信される上りデータを送信するように構成されている。
【０１８１】
具体的には、上りデータ送信部１３は、Ｐｅｒｓｉｓｔｅｎｔ割当信号受信部１２から、上述のＰｅｒｓｉｓｔｅｎｔ割当信号（固定的割当信号）、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を受け取った場合に、かかるＰＤＣＣＨにより指定された上りリンクの送信サブフレームを上述の「割当開始時点」として決定し、該「割当開始時点」を起点として上述の「所定周期」で固定的に「Ｐｅｒｓｉｓｔｅｎｔスケジューリング」用のＰＵＳＣＨ（上り無線リソース）を介した上りデータの送信を行うように構成されている。
【０１８２】
図３の例では、サブフレーム＃３において、Ｐｅｒｓｉｓｔｅｎｔ割当信号受信部１２が、ＰＤＣＣＨを介して上述のＰｅｒｓｉｓｔｅｎｔ割当信号を受信したため、上りデータ送信部１３は、当該ＰＤＣＣＨにより指定された上りリンクの送信サブフレーム＃７内のリソースブロック（サブキャリアの集合）にマッピングされるＰＵＳＣＨ（上り無線リソース）を介して、上りデータを送信するように構成されている。
【０１８３】
また、上りデータ送信部１３は、サブフレーム＃７を先頭として、２０ｍｓの周期で当該ＰＤＣＣＨによって指定されたリソースブロック（サブキャリアの集合）にマッピングされるＰＵＳＣＨ（上り無線リソース）を介して、上りデータを送信するように構成されている。
【０１８４】
すなわち、上りデータ送信部１３は、サブフレーム＃７、＃２７、＃４７、...において、当該ＰＤＣＣＨによって指定されたリソースブロック（サブキャリアの集合）にマッピングされるＰＵＳＣＨ（上り無線リソース）を介して、上りデータを送信するように構成されている。
【０１８５】
一方、本発明に係る無線基地局ｅＮＢは、移動局ＵＥに対して、上述の所定周期及び上り無線リソースに関する情報を通知するように構成されている。
【０１８６】
かかる上り無線リソースに関する情報に関する説明は、移動局ＵＥにおける説明と同様であるため、省略する。
【０１８７】
図４に示すように、無線基地局ｅＮＢは、Ｐｅｒｓｉｓｔｅｎｔ情報送信部２１と、Ｐｅｒｓｉｓｔｅｎｔ割当信号送信部２２と、上りデータ受信部２３とを具備している。
【０１８８】
Ｐｅｒｓｉｓｔｅｎｔ情報送信部２１は、移動局ＵＥに対して、上述の所定周期と上り無線リソースに関する情報とを含むＰｅｒｓｉｓｔｅｎｔ情報（固定的通信情報）を送信するように構成されている。
【０１８９】
具体的には、Ｐｅｒｓｉｓｔｅｎｔ情報送信部２１は、ＲＲＣメッセージを用いて、移動局ＵＥに対して、上述のＰｅｒｓｉｓｔｅｎｔ情報を通知するように構成されている。
【０１９０】
ここで、上り無線リソースに関する情報とは、例えば、固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報の範囲を制限するための情報である。
【０１９１】
上り無線リソースに関する情報の説明は、移動局ＵＥにおける説明と同一であるため、省略する。
【０１９２】
ここで、Ｐｅｒｓｉｓｔｅｎｔ情報送信部２１は、データ種別に基づいて、前記上り無線リソースに関する情報を設定してもよい。
【０１９３】
例えば、Ｐｅｒｓｉｓｔｅｎｔ情報送信部２１は、前記データ種別がＶｏＩＰである場合に、前記上り無線リソースに関する情報を、前記「ＲＢ  ａｓｓｉｇｎｍｅｎｔ  ｉｎｆｏｒｍａｔｉｏｎ」により通知されるリソースブロックの数を「３」以下に制限するという情報に設定し、前記データ種別がストリーミングである場合に、前記上り無線リソースに関する情報を、前記「ＲＢ  ａｓｓｉｇｎｍｅｎｔ  ｉｎｆｏｒｍａｔｉｏｎ」により通知されるリソースブロックの数を「１０」以下に制限するという情報に設定してもよい。
【０１９４】
或いは、Ｐｅｒｓｉｓｔｅｎｔ情報送信部２１は、前記データ種別がＶｏＩＰである場合に、前記上り無線リソースに関する情報を、前記「ＭＣＳ  ｉｎｆｏｒｍａｔｉｏｎ」により通知される変調方式を「ＱＰＳＫ」に制限するという情報に設定し、前記データ種別がストリーミングである場合に、前記上り無線リソースに関する情報を、前記「ＭＣＳ  ｉｎｆｏｒｍａｔｉｏｎ」により通知される変調方式を「ＱＰＳＫ」又は「１６ＱＡＭ」に制限するという情報に設定してもよい。
【０１９５】
或いは、Ｐｅｒｓｉｓｔｅｎｔ情報送信部２１は、前記データ種別がＶｏＩＰである場合に、前記上り無線リソースに関する情報を、前記「ＭＣＳ  ｉｎｆｏｒｍａｔｉｏｎ」により通知されるデータサイズを「３２０ビット」に制限するという情報に設定し、前記データ種別がストリーミングである場合に、前記上り無線リソースに関する情報を、前記「ＭＣＳ  ｉｎｆｏｒｍａｔｉｏｎ」により通知されるデータサイズを「６４０ビット」に制限するという情報に設定してもよい。
【０１９６】
すなわち、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報がどのように制限されるかは、Ｐｅｒｓｉｓｔｅｎｔスケジューリングによりリソース割り当てが行われるデータのデータ種別によって決定されてもよい。
【０１９７】
なお、上述した「データ種別」は、「サービス種別」と言い換えられてもよい。すなわち、「サービス種別」とは、パケットを伝送するサービスの種別を示すものであり、例えば、ＶｏＩＰサービスや音声サービスやストリーミングサービスやＦＴＰ（Ｆｉｌｅ  Ｔｒａｎｓｆｅｒ  Ｐｒｏｔｏｃｏｌ）サービス等が含まれてよい。
【０１９８】
上述した例において、Ｐｅｒｓｉｓｔｅｎｔ情報送信部２１は、「データ種別」に基づいて、前記上り無線リソースに関する情報を設定したが、代わりに、「契約種別」、「論理チャネル種別」、「セル種別」、「優先度種別」に基づいて、前記上り無線リソースに関する情報を設定してもよい。
【０１９９】
また、「契約種別」は、移動局ＵＥのユーザが加入している契約の種別を示すものであり、例えば、Ｌｏｗ  Ｃｌａｓｓ契約やＨｉｇｈ  Ｃｌａｓｓ契約、定額課金契約や従量課金契約等を含む。
【０２００】
また、「セル種別」は、セルの運用形態であり、屋内や屋外、都市部や田舎といった形態が考えられる。
【０２０１】
「論理チャネル種別」は、Ｄｅｄｉｃａｔｅｄ  Ｃｏｎｔｒｏｌ  Ｃｈａｎｎｅｌ  （ＤＣＣＨ）やＤｅｄｉｃａｔｅｄ  Ｔｒａｆｆｉｃ  Ｃｈａｎｎｅｌ（ＤＴＣＨ）といった論理チャネルの種別である。前記ＤＣＣＨ、ＤＴＣＨの中に、さらに複数の論理チャネルが定義されてもよい。
【０２０２】
ここで、「Ｒａｄｉｏ  Ｂｅａｒｅｒ」とは、データを伝送するベアラを意味し、伝送する論理チャネルに対して１対１で定義され、結果として、論理チャネルとほぼ同義である。
【０２０３】
「優先度種別」は、下りリンク及び上りリンクのデータの送信に関わる優先度をクラス分けするためのクラスであり、例えば、第１の優先度クラスのデータは、第２の優先度クラスのデータよりも優先的に送信される。
【０２０４】
かかる「優先度種別」は、前記Ｌｏｇｉｃａｌ  Ｃｈａｎｎｅｌに括り付けられ、「Ｌｏｇｉｃａｌ  Ｃｈａｎｎｅｌ  Ｐｒｉｏｒｉｔｙ」と呼ばれてもよい。或いは、かかる「優先度種別」は、「Ｐｒｉｏｒｉｔｙ  Ｃｌａｓｓ」と定義されてもよい。
【０２０５】
Ｐｅｒｓｉｓｔｅｎｔ割当信号送信部２２は、移動局ＵＥに対して固定的割当信号を送信するように構成されている。
【０２０６】
具体的には、Ｐｅｒｓｉｓｔｅｎｔ割当信号送信部２２は、移動局ＵＥに対して、固定的割当信号として、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）を送信するように構成されている。
【０２０７】
なお、Ｐｅｒｓｉｓｔｅｎｔ割当信号送信部２２は、上述したように、前記固定的割当信号の中の「ＴＰＣ（図２参照）」の値として、常に「１」が設定されていると定義されている場合に、前記「ＴＰＣ」の値として、常に「１」を設定してもよい。
【０２０８】
或いは、例えば、Ｐｅｒｓｉｓｔｅｎｔ割当信号送信部２２は、上述したように、前記固定的割当信号の中の「Ｃｙｃｌｉｃ  Ｓｈｉｆｔ  ｆｏｒ  ＤＭＲＳ（図２参照）」の値として、常に「１」が設定されていると定義されている場合に、前記「Ｃｙｃｌｉｃ  Ｓｈｉｆｔ  ｆｏｒ  ＤＭＲＳ」の値として、常に「１」を設定してもよい。
【０２０９】
或いは、例えば、Ｐｅｒｓｉｓｔｅｎｔ割当信号送信部２２は、上述したように、前記固定的割当信号の中の「ＣＱＩ  ｒｅｑｕｅｓｔ（図２参照）」の値として、常に「１」が設定されていると定義されている場合に、前記「ＣＱＩ  ｒｅｑｕｅｓｔ」の値として、常に「１」を設定してもよい。
【０２１０】
或いは、例えば、Ｐｅｒｓｉｓｔｅｎｔ割当信号送信部２２は、上述したように、前記固定的割当信号の中の「Ｎｅｗ  Ｄａｔａ  Ｉｎｄｉｃａｔｏｒ（図２参照）」の値として、常に「１」が設定されていると定義されている場合に、前記「Ｎｅｗ  Ｄａｔａ  Ｉｎｄｉｃａｔｏｒ」の値として、常に「１」を設定してもよい。
【０２１１】
上りデータ受信部２３は、ＰＤＣＣＨによって割り当てられるＰＵＳＣＨ（上り無線リソース）を介して送信される上りデータを受信するように構成されている。
【０２１２】
具体的には、上りデータ受信部２３は、Ｐｅｒｓｉｓｔｅｎｔ割当信号送信部２２によって上述のＰｅｒｓｉｓｔｅｎｔ割当信号（固定的割当信号）が送信された場合に、かかるＰＤＣＣＨにより指定された上りリンクの送信サブフレームを上述の「割当開始時点」として決定し、該「割当開始時点」を起点として上述の「所定周期」で固定的に「Ｐｅｒｓｉｓｔｅｎｔスケジューリング」用のＰＵＳＣＨ（上り無線リソース）を介した上りデータの受信を行うように構成されている。
【０２１３】
（本発明の第１の実施形態に係る移動通信システムの動作）
図５を参照して、本発明の第１の実施形態に係る移動通信システムの動作について説明する。
【０２１４】
図５に示すように、ステップＳ１０１において、移動局ＵＥは、無線基地局ｅＮＢから、ＲＲＣメッセージ等によって、上述の所定周期と上り無線リソースに関する情報と、を含むＰｅｒｓｉｓｔｅｎｔ情報を受信する。
【０２１５】
なお、上り無線リソースに関する情報とは、例えば、固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報の範囲を制限するための情報である。
【０２１６】
上り無線リソースに関する情報の説明は、移動局ＵＥにおける説明と同一であるため、省略する。
【０２１７】
ステップＳ１０２において、移動局ＵＥは、無線基地局ｅＮＢによってＰＤＣＣＨを介して送信されたＰｅｒｓｉｓｔｅｎｔ割当信号（固定的割当信号）を受信する。
【０２１８】
より具体的には、移動局ＵＥは、無線基地局ｅＮＢより、固定的割当信号として、「Ｐｅｒｓｉｓｔｅｎｔスケジューリング」用のＰＵＳＣＨ（上り無線リソース）の固定的な割り当てを指示するＰＤＣＣＨ（上りリンクスケジューリンググラント）を受信する。
【０２１９】
ステップＳ１０３において、移動局ＵＥは、前記上り無線リソースに関する情報と、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報とが矛盾するか否かを判定する。
【０２２０】
なお、上述した、矛盾するか否かの判定の詳細に関しては、移動局ＵＥにおける説明と同一であるため、省略する。
【０２２１】
移動局ＵＥが、前記上り無線リソースに関する情報と、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報とが矛盾すると判定した場合には（ステップＳ１０３：ＹＥＳ）、本動作は、ステップＳ１０４に進む。
【０２２２】
ステップＳ１０４において、移動局ＵＥは、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）を破棄する。
【０２２３】
すなわち、移動局ＵＥは、前記固定的割当信号、すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により通知される情報は、自局宛てに送信されなかったものと看做す。
【０２２４】
ステップＳ１０５において、移動局ＵＥは、上述のＰｅｒｓｉｓｔｅｎｔ割当信号（固定的割当信号）すなわち、「Ｐｅｒｓｉｓｔｅｎｔスケジューリング」用のＰＵＳＣＨ（上り無線リソース）の固定的な割当を指示するＰＤＣＣＨ（上りリンクスケジューリンググラント）により指定された上りリンクの送信サブフレームを上述の割当開始時点として決定し、該割当開始時点を起点として上述の所定周期で固定的に「Ｐｅｒｓｉｓｔｅｎｔスケジューリング」用のＰＵＳＣＨ（上り無線リソース）を介した上りデータの送信を開始する。
【０２２５】
すなわち、かかる場合、移動局ＵＥは、前記「Ｐｅｒｓｉｓｔｅｎｔスケジューリング」用のＰＵＳＣＨ（上り無線リソース）が解放されるまで、Ｐｅｒｓｉｓｔｅｎｔスケジューリング用のＰＵＳＣＨ（上り無線リソース）を介した上りデータの送信を行う。
【０２２６】
（本発明の第１の実施形態に係る移動通信システムの作用・効果）
上述したように、１個のＰＤＣＣＨ（上りリンクスケジューリンググラント又は下りリンクスケジューリング情報）に対するＦａｌｓｅ  Ａｌａｒｍの確率は、１/２１６となる。
【０２２７】
一般に、移動局ＵＥは、１サブフレームにおいて、４０個程度のＰＤＣＣＨを復号しようとするため、トータルのＦａｌｓｅ  Ａｌａｒｍの確率は、４０×１/２１６＝０.０００６と計算される。
【０２２８】
ここで、上述したＦａｌｓｅ  Ａｌａｒｍは、移動局ＵＥが、当該自局宛てにＰＤＣＣＨが送信されていないにも係らず、偶発的に当該自局宛てにＰＤＣＣＨが送信されたと判定する事象であり、復号された情報は、でたらめな情報である可能性が高い。
【０２２９】
よって、上述したように、移動局ＵＥに、ＰＤＣＣＨ内の情報の範囲に制限を設け、上記制限以外の情報を有するＰＤＣＣＨを受信した場合には、当該ＰＤＣＣＨを破棄するという処理を行うことにより、前記Ｆａｌｓｅ  Ａｌａｒｍの確率を大幅に低減することが可能となる。
【０２３０】
例えば、ＰＤＣＣＨ内のＣＲＣ以外のビット数を２４ビットと仮定し、その内の１２ビットの範囲を限定したと仮定する。計算の簡単化のため、前記１２ビットのビットパターンを１通りに限定したと仮定する。
【０２３１】
この場合、上述したような、移動局ＵＥに、ＰＤＣＣＨ内の情報の範囲に制限を設け、上記制限以外の情報を有するＰＤＣＣＨを受信した場合には、当該ＰＤＣＣＨを破棄するという処理により、前記Ｆａｌｓｅ  Ａｌａｒｍの確率は、
４０×１/２１６×２１２/２２４＝１.５×１０−７と計算され、大幅に小さくなる。
【０２３２】
すなわち、本発明の第１の実施形態に係る移動通信システムによれば、Ｐｅｒｓｉｓｔｅｎｔスケジューリング用のリソース割り当てを通知するＰＤＣＣＨ（上りリンクスケジューリンググラントのＦａｌｓｅ  Ａｌａｒｍの確率を低減することが可能となり、結果として、安定的、かつ、効率的な移動通信方法、移動局及び無線基地局を提供することができる。
【０２３３】
（変更例）
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０２３４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２３５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０２３６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０２３７】
ＵＥ...移動局１１...Ｐｅｒｓｉｓｔｅｎｔ情報受信部１２...Ｐｅｒｓｉｓｔｅｎｔ割当信号受信部１３...上りデータ送信部ｅＮＢ...無線基地局２１...Ｐｅｒｓｉｓｔｅｎｔ情報送信部２２...Ｐｅｒｓｉｓｔｅｎｔ割当信号送信部２３...上りデータ受信部
【図１】
2010206831.tif 000003
【図２】
2010206831.tif 000004
【図３】
2010206831.tif 000005
【図４】
2010206831.tif 000006
【図５】
2010206831.tif 000007